(57)【要約】【課題】予備吐出で発生するインクミストの付着位置を予備吐出口内に制御する。【解決手段】予備吐出の際にインク吐出２２０に伴って発生する気流は、棒状のインク受け面部材１３１の周囲を流れてすり抜ける。すなわち、それぞれのインク受け面部材１３１の両脇およびその下方に気流の障害物が存在しないことから、発生した気流は、インク受け面部材1３１の周りを回るような流線となる。これにより、予備吐出の際には、記録ヘッドの吐出口面から予備吐出口１２２内に向かう乱れのない気流が形成され、予備吐出で発生したサテライトなどの微小インク滴は、この気流によって移動し、また、その移動方向が定められる。その結果、予備吐出で発生したサテライトなどの微小インク滴のほとんどは浮遊せずに予備吐出口1２２内のインク受け面部材１３１または傾斜面１３２に至ることができる。【選択図】図９
2009269313.tif 000002
【特許請求の範囲】
【請求項１】
インクを吐出する複数の吐出口を配列した吐出口列が設けられた記録ヘッドを用い、該記録ヘッドからインクを吐出して記録を行うインクジェット記録装置であって、
前記記録ヘッドから吐出されたインクを受ける部材であって、少なくとも１つの吐出口列に対応する長手部とその両側にすき間を有する形状を含んだインク受け面部材、
を具えたことを特徴とするインクジェット記録装置。
【請求項２】
前記インク受け面部材は、記録ヘッドに設けられた吐出口列の数に対応した数設けられることを特徴とする請求項１に記載のインクジェット記録装置。
【請求項３】
複数の前記インク受け面部材の配列の間隔は、同じ数の吐出口列の配列の間隔と同じことを特徴とする請求項２に記載のインクジェット記録装置。
【請求項４】
前記インク受け面部材の鉛直下方に設けられる傾斜面部材をさらに具えたことを特徴とする請求項１ないし３のいずれかに記載のインクジェット記録装置。
【請求項５】
複数の前記インク受け面部材はそれぞれの断面形状が山形をなすとともに、当該複数の山形の隣り合うそれぞれの山形同士はＶ字状の溝を形成し、該Ｖ字状の溝は傾斜していることを特徴とする請求項１ないし３のいずれかに記載のインクジェット記録装置。
【請求項６】
前記インク受け面部材の少なくともインクが接触する部分に撥インク処理が施されていることを特徴とする請求項１ないし５のいずれかに記載のインクジェット記録装置。
【請求項７】
前記インク受け面部材と記録ヘッドの吐出口列が配設された面との距離は０．５〜３．５mmの範囲内にあることを特徴とする請求項１ないし６のいずれかに記載のインクジェット記録装置。
【請求項８】
インクを吐出する複数の吐出口を配列した吐出口列が設けられた記録ヘッドを用い、該記録ヘッドからインクを吐出して記録を行うインクジェット記録装置における予備吐出方法であって、
前記記録ヘッドから吐出されたインクを受ける部材であって、少なくとも１つの吐出口列に対応する長手部とその両側にすき間を有する形状を含んだインク受け面部材を用意する工程と、
前記記録ヘッドの吐出口列を前記インク受け面部材に位置合せする工程と、
該位置合わせをした状態で当該インク受け面部材に対してインクを吐出する工程と、
を有したことを特徴とする予備吐出方法。
【発明の詳細な説明】
【技術分野】
【０００１】
本発明は、インクジェット記録装置および予備吐出方法に関し、詳しくは、予備吐出において発生するインクミストの付着の制御に関するものである。
【背景技術】
【０００２】
プリンタ、複写機、ファクシミリ等や、コンピューターやワードプロセッサ等の複合型電子機器等の出力機器として用いられる記録装置は、記録情報に基づいて紙、ＯＨＰシート等の記録媒体に画像（文字や記号等を含む）を記録するように構成されている。記録ヘッドで記録媒体を走査しながら記録するシリアルタイプの記録装置は、走査による１行分の記録を終了した後に所定量の記録媒体搬送を行い、再び走査して次の行の画像を記録するという動作を繰り返すことによって記録媒体全体に記録を行うことができる。一方、搬送される記録媒体の幅に対応した範囲に吐出口を配列したフルラインタイプの記録ヘッドを用いる記録装置は、記録媒体を所定位置にセットし、記録ヘッドに配列した１ライン分（１行分）の複数の吐出口によって記録を行う。その後、所定量の紙送りを行い、次の１ライン分を記録する動作を繰り返ことにより記録媒体全体に記録を行うことができる。
【０００３】
上記記録装置のうち、記録ヘッドから記録媒体へインクを吐出して記録を行うインクジェット記録装置は、記録ヘッドなどのコンパクト化が容易であり、高精細な画像を高速で記録することができる。また、インクジェット記録装置は、普通紙に特別の処理を必要とせずに記録することができ、ランニングコストが安く、ノンインパクト方式のため騒音が少なく、多種類のインクを使用してカラー画像を記録するのが容易であるなどの利点を有している。また、インクジェット記録装置で使用される記録媒体の材質に対する要求も様々なものがあり、通常の記録用紙や樹脂薄板（ＯＨＰ等）などの他に、布、皮革、不織布、さらには金属等も使用されるようになっている。
【０００４】
このようなインクジェット記録装置は、微細な吐出口からインクを吐出して記録を行うことから、吐出口近傍におけるインクの蒸発などによってインクが増粘し、吐出口面にインクや紙粉等のごみが付着したりすることでインクの吐出が不安定になることがある。ノズル内に気泡が侵入しても同様の現象が生じる。インクの吐出が不安定になると、吐出インクの方向が偏ることや（以下、ヨレともいう）インク不吐出などの吐出不良が発生することがある。
【０００５】
そこで、このような吐出不良の原因を除去することにより、記録ヘッドのインク吐出性能を良好な状態に維持し、あるいは回復するための吐出回復機構が設けられている。この吐出回復機構には、インクカートリッジから記録ヘッドの吐出口までのインク供給路内のインクを強制的に吸引するためのキャップやポンプ等から成る吸引回復機構がある。また、記録ヘッドの吐出口面を常に清浄な状態に保つために該吐出口面を定期的に拭き取り清掃するワイパーからなるワイピング機構もある。なお、キャップは、それ単独では、非記録動作時に記録ヘッドの吐出口面を保護したり吐出口からのインク蒸発を防止したりするために使用される。また、吸引機構は、吸引回復動作の後にキャップ内に残存するインクを吸引除去する空吸引を行うためにも使用される。
【０００６】
また、吐出回復機構の一つとして、記録ヘッドの移動領域の一部に設けられた予備吐出口に対してインク吐出を行う予備吐出機構も知られている。予備吐出は、上述の吸引動作やワイピングの後に発生しやすい吐出口内の混色を解消したり、記録の前後や途中で記録ヘッドのインクをリフレッシュしたりするために行われる。このように、予備吐出は、例えば、一定の時間間隔でインク吐出を行うことにより、記録中に使用されない吐出口内のインクが乾燥濃縮し記録に適さなくなることを未然に防止常に記録に適した状態に保つものである。
【０００７】
図１は、従来例に係るインクジェット記録装置における予備吐出口の周辺の構成および状態を示す概略斜視図である。図１において、記録ヘッド（不図示）の吐出口面と対向する位置には、記録用紙などの記録媒体の通紙を案内するためのプラテン１２０が配設されている。プラテン１２０の記録媒体搬送領域（通紙領域）を外れた位置（図示の例では左側に外れた位置）には予備吐出口１２２が設けられている。また、プラテン１２０の記録媒体搬送領域には複数のリブ（突条部）１２１が形成されている。これらのリブ１２１は、記録媒体搬送領域を通して搬送（紙送り）される記録媒体の裏面を支持することにより、記録時における記録媒体と記録ヘッドの吐出口面との間の距離（紙間距離）をほぼ一定に保つためのものである。
【０００８】
図１に示すように、予備吐出口１２２は記録ヘッドの吐出口面と対向する面（プラテン１２０の上面と同じ表面）に形成される。予備吐出口１２２の内部にはインク受けユニット１３０が設けられる。このインク受けユニット１３０は、吐出インクを受けるとともに受けた吐出インクを廃インク保持部へ導くための多孔質材から構成され、記録ヘッドの吐出口面と対向する位置に予備吐出受け面１３１を備えている。
【０００９】
ところで、予備吐出の際に、記録ヘッドの吐出口から予備吐出口１２２に向けてインクが吐出されると、主滴と副次的に発生するサテライト滴からなるインク滴群２２０の一部は、インクミスト２２１となって機内を浮遊する。このインクミストは、機内ミストとも称され、記録装置の筐体内部の部品などに付着して汚れとなって蓄積される。そして、装置の耐久年数を過ぎるころには目視で確認されるほどの汚れとなる。また、この汚れがセンサ類に付着した場合には、記録装置の誤動作を引き起こすおそれもある。このようなインクミストの発生ないし浮遊の原因は、主に次の二つの現象であると考えられている。
【００１０】
一つ目の現象は、空気抵抗を受けながら飛翔するインク滴は、吐出口から離れれば離れるほど空気抵抗によって自身の速度が低下し、吐出から予備吐受けに付着するまでの滞空時間が長く、場合によっては予備吐受けに届かないということである。また、直径が１０μｍ以下のインク滴については、その飛翔において重力の影響が無視できることが知られており、経時による自然沈降も期待できず非常に長い時間気中を漂うことになる。このように主滴と比較して径が小さく初期速度が低いサテライト滴は上述した現象が顕著となる。これは、流体において知られるストークスの抵抗法則からも導かれる。すなわち、密度ρａ、動粘性率νａの流体中を速度ｖで移動する密度ρ、直径Ｄの球体には、レイノルズ数（
【００１１】
【数１】
2009269313.tif 000003
【００１２】
）が小さい流れでは、
【００１３】
【数２】
2009269313.tif 000004
【００１４】
で表されるような抵抗力Ｆが加わる。この力が抵抗が作用する球体の運動方程式は、
【００１５】
【数３】
2009269313.tif 000005
【００１６】
となる。これを、初期速度をｖ０として積分すると、
【００１７】
【数４】
2009269313.tif 000006
【００１８】
となる。この式から、粒径が小さいほど著しい速度の低下が起こることが判る。さらにこの式を積分し、球体が移動した距離ｘを求めると、
【００１９】
【数５】
2009269313.tif 000007
【００２０】
を得る。この式からｔ→∞で球体が到達可能な距離を知ることができる（ここで、Ｖｄは球体の体積）。
【００２１】
【数６】
2009269313.tif 000008
【００２２】
すなわち、初速度ｖ０、体積Ｖｄ（径Ｄ）で吐出したインク滴を受け止めるには、図１に示す予備吐出受け面１３１を、上の式で示される距離以下に近づけなければならないことがわかる。
【００２３】
二つ目の現象は、記録ヘッド直下に複雑な気流の乱れが形成されるということである。予備吐出動作では、吐出口列を形成する複数の吐出口から、一度に数百〜千発のインク滴が高速で吐出されるので、それぞれのインク滴（主に粒径が大きく初期速度が大きい主滴により）の運動がストリームとなって周囲の空気を引きずり、気流を形成する。一般的な記録ヘッドでは、吐出口列は有限の幅を持って並列に複数個並んでおり、さらに予備吐出受けの壁に向けて吐出するため、空間的な非対称性と気流の衝突が伴う。その結果、に記録ヘッド直下には複雑な気流が形成される。
【００２４】
以上のように、上記第１の現象を原因として滞空時間が長く速度を失っているインク滴の存在と、第２の現象を原因として形成される気流の存在により、予備吐出では、予備吐出受け面１３１によって捕捉されずに飛散するミストが存在することになる。そして、このようなインクミストの飛散によって、記録装置内部や場合によっては記録媒体を汚すという問題がある。
【００２５】
【特許文献１】特開２００１−０７１５３１号公報
【特許文献２】特開２０００−１７７１４６号公報
【特許文献３】特開２００４−１３０６９３号公報
【発明の開示】
【発明が解決しようとする課題】
【００２６】
以上の予備吐出の際のインクミスト飛散の対策として考えられる一つの方法は、特許文献１に記載されているように、予備吐出インクを直接受ける面を、記録ヘッドの吐出口面に近づける方法である。これにより、インク滴の飛翔速度が低下する前にインク滴を捕捉することができる。
【００２７】
特許文献１は、インク吐出で形成される気流が乱れる位置よりも吐出口寄りの位置に予備吐出インクを受ける面を形成することを開示している。このように予備吐出受け面を記録ヘッドに近づけることにより、インクミストが減少することは本願発明者等の実験でも確認されている。
【００２８】
しかしながら、特許文献１では、予備吐出インクを一定の時間内に予備吐出受け面から排インク吸収体へ移すことができず、予備吐出受け面にインクの堆積ないし溢れが生じてしまうことがある。この状態で、更に記録ヘッドと予備吐出受け面が近接していた場合は、予備吐動作を実施することで記録ヘッドの吐出口面を汚染するという問題がある。この問題は、例えば、予備吐出インクを受ける面を吐出方向に対して傾斜させ、受けた予備吐出インクを重力によって下方へ流すことで解決することが考えられる。しかしながら、記録ヘッドの吐出口面と予備吐出受け面との間に傾斜角度があると、吐出口面と予備吐出を直接受ける部分との距離が大きくなり、結果として捕捉できないミストが増加することになる。
【００２９】
なお、特許文献１には、上記の開示内容の他、予備吐出受け面に傾斜をつけた場合に、ミストが増加するものの、気流の制御を行うことでミストの低減を図ることも記載されている。しかし、ミストの低減効果は、気流を制御し形状に工夫を施す以上に、予備吐受け部を吐出口面に近づけることの方が高いことが確認されている。また、特許文献２には、傾斜を持った複数の予備吐出受け面を設け、それぞれの傾斜角度を適切に設定することによって、インクミストを効率的に捕捉することが記載されている。しかしながら、基本的にこの場合も、吐出口面と予備吐出を直接受ける部分との距離が大きくなり、結果として捕捉できないミストが増加することになる。
【００３０】
さらに、記録ヘッドの吐出口面と予備吐出受け面がほぼ平行に対向し合い、かつ予備吐受け面が重力の方向に対して傾斜している構成も考えられる。つまりプラテン、記録ヘッド、回復系等プリンタの主要構成部品の全てが予備吐受け面に合わせて傾斜している構成が考えられる。しかし、この構成は、予備吐出ミストの低減と予備吐出インクの堆積防止の解決として好ましいが、記録装置の設計上制限となり望ましくない。
【００３１】
別の対策方法は、特許文献３に記載のように、予備吐出で形成される気流を制御するものである。すなわち、予備吐出のインクを、吐出方向に垂直でなく所定の角度傾けた面を有したＶ字状の溝を設け、その溝内に予備吐出のインクを吐出することが記載されている。そして、この溝内に吐出されるインクによって溝内で方向を変える気流を形成し、これにより、ミストが付着する位置を制御するものである。
【００３２】
しかしながら、特許文献３に記載のミスト制御は、基本的にインクミストが装置内の特定の場所に付着しないように制御するものであり、特定の場所以外の装置部分には付着することを許容するものである。すなわち、上記形成する気流はエアーカーテンとして機能させるものであり、気流自体でミストの拡散を抑制するようなものではない。このため、特定の場所以外の場所へのミストの拡散を防ぐことはできないことがある。
【００３３】
本発明は、上述した問題を解決するためになされたものであり、その目的は、インクミストの付着位置を予備吐出口内に制御することができるインクジェット記録装置および予備吐出方法を提供することにある。
【課題を解決するための手段】
【００３４】
そのために本発明では、インクを吐出する複数の吐出口を配列した吐出口列が設けられた記録ヘッドを用い、該記録ヘッドからインクを吐出して記録を行うインクジェット記録装置であって、前記記録ヘッドから吐出されたインクを受ける部材であって、少なくとも１つの吐出口列に対応する長手部とその両側にすき間を有する形状を含んだインク受け面部材、を具えたことを特徴とする。
【００３５】
また、インクを吐出する複数の吐出口を配列した吐出口列が設けられた記録ヘッドを用い、該記録ヘッドからインクを吐出して記録を行うインクジェット記録装置における予備吐出方法であって、前記記録ヘッドから吐出されたインクを受ける部材であって、少なくとも１つの吐出口列に対応する長手部とその両側にすき間を有する形状を含んだインク受け面部材を用意する工程と、前記記録ヘッドの吐出口列を前記インク受け面部材に位置合せする工程と、該位置合わせをした状態で当該インク受け面部材に対してインクを吐出する工程と、を有したことを特徴とする。
【発明の効果】
【００３６】
以上の構成によれば、予備吐出の際にインク吐出に伴って発生する気流は、インク受け面部材の両側のすき間をすり抜ける。すなわち、インク受け面部材の両脇に気流の障害物が存在しないことから、発生した気流は、インク受け面部材の周りを回るような流線となる。これにより、予備吐出の際には、記録ヘッドの吐出口面からインク受け面部材に向かう乱れのない気流が形成され、予備吐出で発生したサテライトなどの微小インク滴は、この気流によって移動し、また、その移動方向が定められる。その結果、予備吐出で発生したサテライトなどの微小インク滴のほとんどは浮遊せずにインク受け面部材またはその下流側の部材に至ることができる。
【発明を実施するための最良の形態】
【００３７】
以下、図面を参照して本発明の実施形態を詳細に説明する。
【００３８】
図２は本発明の一実施形態に係るインクジェット記録装置を示す斜視図であり、記録ヘッドを取り外した状態を示している。図３は、図２に示す記録ヘッドをその吐出口を排泄した面側から見た状態を示す斜視図である。
【００３９】
図２および図３において、１０は記録ヘッド（記録ヘッドカートリッジ）を示し、記録ヘッド１０は、６種類の各インクの吐出口列を配列した吐出口面１８を備える。吐出口面１８は記録ヘッド１０を構成する記録素子基板１１の一部をなすものである。記録素子基板１１はインク吐出に用いられる熱エネルギーを発生するヒータやこのヒータに電力を供給する配線などを備えるとともに、各ヒータに対応して吐出口を排泄した吐出口面を備える。吐出口列１２、１３、１４、１５、１６、１７は、ブラックの吐出口列、ライトシアン（濃度の薄いシアン）の吐出口列、ライトマゼンタ（濃度の薄いマゼンタ）の吐出口列、シアンの吐出口列、マゼンタの吐出口列およびイエローの吐出口列である。これらの吐出口列それぞれは、１２００ｄｐｉの密度で長さ約２５．４ｍｍに吐出口を１列に並べて構成されている。
【００４０】
記録ヘッド１０はキャリッジ２０に着脱可能に搭載される。また、キャリッジ２０に搭載される記録ヘッド１０の保持部には、吐出口列１２〜１７へそれぞれのインクを供給するための個別のインクタンク（インクカートリッジ）１６０が着脱可能に装着される。キャリッジ２０はシャーシ１５０に設けられたガイド軸４０およびシャーシ１５０に形成されたガイドレール５０に沿って矢印Ａ方向（主走査方向）に往復移動可能に案内支持されている。２１は記録ヘッド１０をキャリッジ２０に着脱可能に位置決め状態でセットするためのセットレバーを示す。装置本体を構成するシャーシ１５０には、キャリッジ２０の移動させるためのキャリッジモータ７０が取り付けられている。キャリッジモータ７０の出力軸に固定されたモータプーリ７１と装置本体の反対側に取り付けられたアイドラプーリ８０との間には駆動ベルト６０が張架されており、駆動ベルト６０の一部に前記キャリッジ２０が連結されている。この構成によって、キャリッジモータ７０が駆動（回転）されるとモータプーリ７１が回転し、モータプーリ７１により駆動ベルト６０が走行駆動されることによりキャリッジ２０が矢印Ａ方向に移動することができる。なお、装置本体側には、キャリッジ２０の移動経路と平行にエンコーダスケール９０が設置されており、キャリッジ２０に搭載されたエンコーダセンサ２４でエンコーダスケール９０を読み取ることによりキャリッジ２０の位置を検出する。
【００４１】
記録紙等の記録媒体１１０を搬送（紙送り）するための搬送ローラ１００は、ギア列等から成る駆動力伝達機構１０１を介して、装置本体に取り付けられた搬送モータ１０２によって駆動される。搬送ローラ１００に向けて付勢された状態でピンチローラ１０３が回動自在に軸支されている。このピンチローラ１０３は、装置本体に回動可能に軸支されるとともにピンチローラばね１０５により前記搬送ローラ１００に向けてばね付勢されたピンチローラホルダ１０４に回動自在に軸支されている。搬送ローラ１００とピンチローラ１０３との間で記録媒体１１０を挟持し、この状態で搬送モータ１０２を駆動することにより、記録媒体１１０の搬送（紙送り）が行われる。
【００４２】
装置本体には、記録部を通して搬送される（通紙される）記録媒体１１０を支持するためのプラテン１２０が配設されている。このプラテン１２０は、キャリッジ２０上の記録ヘッド１０の吐出口面１８と所定隙間をもって対向するように配設されている。このプラテン１２０の記録媒体搬送領域には、記録媒体１１０の裏面を支持し、記録媒体１１０の表面（記録面）と記録ヘッドの吐出口面１８との間の距離（紙間距離）をほぼ一定に保つための複数のリブ（突条部）１２１が設けられている。
【００４３】
また、インクジェット記録装置は、記録ヘッドの吐出不良を未然に防止するための回復機構を備える。詳しくは、装置本体の右側端部近傍でプラテン１２０から外れた位置（記録媒体搬送領域の右側の外側位置）に、記録ヘッド１０のインク吐出性能を正常な状態に維持回復するための回復ユニット３００が設けられる。図示の例では、この回復ユニット３００は、記録ヘッド１０のホームポジションで、記録ヘッドの吐出口面１８に対し下側から対向するような位置関係で配設されている。
【００４４】
図４は、回復ユニット３００の概略構成を示す斜視図である。図４において、回復ユニット３００は、キャッピング機構３１０、吸引機構３２０およびワイピング機構３３０を備えている。キャッピング機構３１０は、非記録動作時に記録ヘッド１０の吐出口面１８にゴム等の弾性材料からなるキャップ３１１を密着させて吐出口列１２〜１７を覆う。これにより、吐出口からのインク溶媒の蒸発を抑制するとともに吐出口面１８の保護を図ることができる。吸引機構３２０は、吐出口近傍の増粘インクや気泡等の吐出不良の原因を除去するために、ポンプ３２１によって吐出口からインクを強制的に排出させる吸引動作を行う。
【００４５】
具体的には、記録ヘッド１０の吐出口をキャップ３１１でキャッピングし、キャップ３１１に接続された吸引ポンプ３２１を作動させてキャップ３１１内を負圧にするものである。これにより、吐出口列１２〜１７の各吐出口からインクを吸引する。なお、この吸引機構３２０はインクタンク１６０内のインクを記録ヘッド１０の吐出口まで充填するため、あるいはキャップ３１１を離間させた状態で負圧発生源３２１を作動させてキャップ内の残留インクを吸引除去する空吸引を行うためにも使用される。ワイピング機構３３０は、記録ヘッド１０の吐出口１８面に当接して相対移動する（摺擦する）ワイパー３３１、３３２によって、吐出口面に付着したインクやほこり等の異物（付着物）を拭き取り除去する。ワイパー３３１、３３２としては、通常、ゴム状の板状から成る弾性ブレードが使用される。他の例として、インク吸収性に優れた多孔質部材を使用することもある。
【００４６】
再び図２を参照すると、プラテン１２０の回復ユニット３００と反対側の領域で、記録媒体搬送領域を外れた部位には、予備吐出口１２２が設けられている。この予備吐出口１２２は、記録に関与しない予備吐出動作によって記録ヘッド１０から吐出されるインクを受容するための開口である。予備吐出口１２２内に吐出されたインクは、図７などで後述されるインク受けユニットによって廃インク収容部に導かれる。この予備吐出動作は、吐出口列１２〜１７のそれぞれからインクを吐出する動作であり、回復ユニット３００による回復操作の後や記録の前後および途中などに実施される。これにより、ワイピングなどで記録ヘッド１０の吐出口近傍で発生することがある異なる色のインク同士の混色を解消し、また、常に良好な記録状態を保つことができる。予備吐出口１２２はプラテン１２０に形成され、予備吐出口１２２の内側には、後述するようにインク受けユニットが設けられている。インク受けユニットは、吐出されたインクを受け止めるインク受け面と、受け止めたインクを廃インク収容部へ導く傾斜面で構成される。
【００４７】
装置本体の背部には、積載された記録媒体１１０を１枚ずつ分離して記録部へ給送するための自動給紙装置（オートシートフィーダ）１４０が装着されている。この自動給紙装置１４０は記録装置のシャーシ１５０に支持されている。図示のインクジェット記録装置においては、自動給紙装置１４０にセットされた記録媒体１１０が不図示の給紙ローラによって装置本体内部へ送給される。装置本体内部の記録部では、記録ヘッド１０を搭載したキャリッジ２０の矢印Ａ方向への主走査移動と記録情報に基づく記録ヘッド１０の駆動とを同期駆動することにより記録媒体１１０に対する記録動作（画像記録）が行われる。記録された記録媒体１１０は排紙ローラ（不図示）および拍車（不図示）から成る送り出し機構によって装置本体外部（排紙トレイ上など）へ排紙される。なお、装置本体に設けられたメイン制御基板（図５）とキャリッジ２０上の記録ヘッド１０とはフレキシブルケーブル２２によって電気的に接続されている。
【００４８】
図５は、上述した一実施形態に係るインクジェット記録装置における制御回路の構成を示すブロック図である。図５において、本装置は、上述したように、キャリッジモータ（ＣＲモータ）７１と、搬送モータ（ＬＦモータ）１０２が備える。また、回復ユニット３００の各機構を駆動するとともに自動給紙装置１４０に積載された記録媒体１１０を記録部まで給紙するための給紙兼用回復モータ（ＰＧモータ）１７０が備える。そして、本記録装置は、これらのモータや記録ヘッド１０の吐出を駆動するためのメイン制御基板１８０を備える。
【００４９】
このメイン制御基板１８０はフレキシブルケーブル２２を介してキャリッジ２０のキャリッジ基板２３に接続されている。また、メイン制御基板１８０には電源ユニット１９０や操作用フロントパネル２００が接続されている。さらに、メイン制御基板１８０には必要に応じてオプションインターフェースボード２１０が接続されるようになっている。また、メイン制御基板１８０には、記録媒体１１０の紙端（ペーパーエンド）を検知するためのＰＥセンサ１８１ａ、自動給紙装置１４０のホームポジションを検知するためのＡＳＦセンサ１８１ｂが接続している。さらに、基板１８０には、回復ユニット３００の回復機構のホームポジションを検知するためのＰＧセンサ１８１ｃ、インクタンク１６０のインク切れを検出するためのインクエンドセンサ１８１ｄが接続されている。
【００５０】
メイン制御基板１８０には、ホストコンピュータやスキャナなどのホスト装置に対して電気的に接続するためのインターフェース回路１８２が設けられる。また、本記録装置の制御動作を実行するマイクロプロセッサ形態のＭＰＵ１８３と、ＭＰＵ１８３のためのプログラムなどを格納するマスクＲＯＭ１８４と、記録データなどを一時的に格納するためのＲＡＭ１８５が設けられる。さらに、キャリッジモータドライバ（ＣＲモータドライバ）１８６ａ、搬送モータドライバ（ＬＦモータドライバ）１８６ｂ、ＰＧモータドライバ１８６ｃや、上述した各回路や素子を相互に接続するためのゲートアレイ１８７が設けられている。
【００５１】
ＭＰＵ１８３は、インターフェース回路１８２を介してホストコンピュータやスキャナなどのホスト装置に接続されており、マスクＲＯＭ１８４内のプログラムに基づいて記録動作を制御する。具体的には、ＭＰＵ１８３は、ＲＡＭ１８５内に格納されたホスト装置からの記録データに基づき、キャリッジモータ７１、搬送モータ１０２、ＰＧモータ１７０を制御するとともに、不図示のヘッドドライバを介して記録ヘッド１０の吐出を制御する。フロントパネル２００には、ディップスイッチ、キースイッチ及び発光ダイオードナドから成る表示素子（不図示）が設けられている。
【００５２】
図６は、回復ユニット３００による回復動作の一例を示すフローチャートである。先ず、記録ヘッド１０の吐出口面１８をキャップ３１１によって覆った状態で回復動作が開始され（ステップＳ０１）、キャップ３１１に接続された吸引ポンプ３２１を作動させることで吸引回復動作が行われる（ステップＳ０２）。次に、記録ヘッド１０から所定量のインクを吸引した後、キャップ内部を大気に連通させて空吸引を実施する（ステップＳ０３）。空吸引は、キャップ３１１を吐出口面１８に密着させたまま開閉弁を開放してキャップ内部を大気に連通させ、この大気連通状態で吸引ポンプ３２１を作動させる動作である。これにより、ステップＳ０２の吸引回復処理でキャップ内に残留したインクを吸引排出することができる。吸引回復や空吸引で吸引されたインクは、吸引ポンプ３２１の下流側流路を形成するインク排出経路を通して、不図示の廃インク保持部材へ導かれて保持される。
【００５３】
空吸引の後、キャップ３１１を吐出口面１８から離間させてキャップオープンの状態にする（ステップＳ０４）。次いで、ワイピング機構３３０のワイパー３３１、３３２によって吐出口面１８を摺擦することにより、吐出口面１８上の付着インク等の付着物を拭き取り除去する（ステップＳ０５）。次いで、キャリッジ２０を移動させて記録ヘッド１０の吐出口面１８を予備吐出口１２２に対向させ、記録ヘッド１０の各吐出口から予備吐出口１２２内のインク受けユニットに向けて所定量の予備吐出（インク吐出）を実施する（ステップＳ０６）。その後、再びワイパー３３１、３３２によって吐出口面１８のワイピングを行い（ステップＳ０７）、次いで、キャップ３１１を再び吐出口面１８に密着（ステップＳ０８）させてキャッピング状態にし、一連の回復動作を終了する（ステップＳ０９）。
【００５４】
（第１実施形態）
以上説明した構成を有したインクジェット記録装置における本発明の第１実施形態に係る予備吐出を受けるための構成について説明する。
【００５５】
図７は、主に本発明の第１実施形態に係る予備吐出口１２２およびインク受けユニットの構成を示す斜視図である。図８は、予備吐出口１２２内部のインク受けユニットの構成を示す正面図である。図９は、インク受けユニットに向かって予備吐出を実施した場合の状態を示す断面図であり、図１０はその側面図である。
【００５６】
図７および図８において、前述したように、インクジェット記録装置の記録ヘッド１０の走査によって記録媒体に記録を行う領域には、記録媒体１１０の通紙を案内するためのプラテン１２０が配設されている。そして、プラテン１２０のこの通紙領域を外れた位置（図中左側に外れた位置）に予備吐出口１２２が設けられる。予備吐出口１２２は、記録ヘッド１０が移動してその吐出口面１８が対向できるに設けられている。そして、この開口１２２内には、予備吐出の際に、６つの吐出口列１２〜１７とそれぞれ対向する６つのインク受け面部材１３１と、受けた吐出インクを廃インク保持部へ導く傾斜面（傾斜面部材）１３２を有したインク受けユニット１３０が設けられている。すなわち、インク受けユニットは、記録ヘッドから吐出されたインクを受ける部材であって、それぞれの吐出口列に対応する長手部とその両側にすき間を有する形状を含んだインク受け面部材を備えている。
【００５７】
インク受け面１３１は、記録ヘッド１０の６列の吐出口列１２〜１７のそれぞれから吐出されるインクを受けるべく吐出口列とほぼ平行に形成されている。インク受け面部材１３１は、各吐出口列１２〜１７の配設位置に対応して間隔をあけた６本の棒状もしくはワイヤー状（その断面は楕円）の部材であり、各々が記録ヘッド１０の吐出口面１８とほぼ等しい距離を保っている。すなわち、インク受け面１３１は、吐出口列と同じ数設けられる。また、同じ間隔で設けられる。
【００５８】
図９および図１０において、記録ヘッド１０の吐出口面１８を予備吐出口１２２に対向させ、Ｂｋ、ＬＣ、ＬＭ、Ｃ、Ｍ、Ｙインクの吐出口列１２〜１７からインク受け面１３１に向けてインクを吐出するとインク滴２２０はインク受け面部材１３１に付着する。インク受け面１３１部材のインクが接触する表面は撥インク処理が施されており、付着したインクは下方へ滴り落ちて、鉛直下方に設けられた傾斜面１３２に至り、その後傾斜面１３２を伝って廃インク吸収体１３３へ導かれる。
【００５９】
図１１、図１２は、インク受け面１３1部材を細長い棒状部材によって構成することの効果を説明する図である。図１１は、本実施形態の吐出インク受け面部材１３1周辺の、予備吐出時の気流の様子を説明する図であり、図１２は従来の吐出インク受け面周辺の、予備吐出時の気流の様子を説明する図である。
【００６０】
図１１に示すように、本実施形態では、予備吐出の際にインク吐出２２０に伴って発生する自己気流は、棒状のインク受け面部材１３１の周囲を流れてすり抜ける。換言すれば、それぞれのインク受け面部材１３１の両脇およびその下方に気流の障害物が存在しないことから、発生した気流は、インク受け面部材1３１の周りを回るような流線となる。すなわち、予備吐出の際には、記録ヘッドの吐出口面から予備吐出口１２２内に向かう乱れのない気流が形成され、予備吐出で発生したサテライトなどの微小インク滴は、この気流によって移動し、また、その移動方向が定められる。その結果、予備吐出で発生したサテライトなどの微小インク滴のほとんどは浮遊せずに予備吐出口1２２内のインク受け面部材１３１または傾斜面１３２に至ることができる。
【００６１】
インク受け面部材１３１の断面形状は、以上説明したように自己気流を受け流す効果の高い流体抵抗の小さい形状が好ましく、例えば記録ヘッド側（すなわち上方）に頂点を有する三角形や、円、楕円形等が挙げられる。なお、実施例はインクを受け止める箇所の大部分が吐出口により近づいているように構成された楕円形の例を挙げた。
【００６２】
一方、図１２に示す従来のインク受けユニットの構成では、インク吐出２２０に伴って発生する気流はインク受け面１３１に衝突してインク吐出方向と逆向きに巻き上げ気流２３０を形成する。このような巻き上げ気流２３０は、サテライトの軌道をゆがめ、サテライトを飛散させて機内を浮遊するミストの原因となる。
【００６３】
なお、上述のように本実施形態のインク受け面部材は棒状もしくはワイヤ状をなしインクを受ける面が狭い。このため、特に記録ヘッドが移動中の場合はキャリッジ移動制御の精度の問題から吐出で狙った位置がずれ、全ての予備吐出インクをインク受け面部材で受け切れない場合がある。しかしながら、そのインク吐出の大部分をインク受け面部材で受けるように位置を制御して吐出させることによって、従来よりも大幅にミストの拡散を抑えることができる。
【００６４】
以上説明した本実施形態のインク受けユニット１３０は、本実施形態では、インク受け面部材１３１および傾斜面１３２がモールド成型によって形成されたものであり、さらにそれぞれの表面に撥インク処理が施こされている。これにより、受けた予備吐出インクを重力の作用によって廃インク収容部１３３へ流し、インク受け面１３１および傾斜面１３２におけるインクの堆積を防止することができる。
【００６５】
インク受け面部材１３１を構成する棒状もしくはワイヤー状部材の断面サイズの好ましい形態は次のとおりである。本実施形態によるインク受け面部材の最大効果を得るには、記録ヘッド１０の６列の吐出口列１２〜１７のそれぞれから吐出されるインク２２０を対応するインク受け面部材１３１のみで受け止める必要がある。従って、インク受け面部材１３１を構成するワイヤーの断面サイズは、それを達成するのに十分な大きさを持つ必要がある。記録ヘッド１０が静止したままの状態で予備吐出をするときには、１つのインク受け面部材１３１に付着させるインク滴の粒の大きさおよびインク滴の着弾精度を考慮すると、（本実施形態では、楕円の長径が）１００μｍ以上が好ましい。なお、記録ヘッド１０が移動中であって、そのとき必要十分な数（数十発）の予備吐出を行う場合には、このインク受け面部材１３１に付着させるように狙って吐出制御をする。この例の場合、予備吐出中の記録ヘッド１０の移動量を考慮すると、必要なワイヤー径（楕円の長径）は０．５〜２mm程度になる。
【００６６】
また、インク受け面部材１３１と吐出口面１８との距離は、好ましくは次のとおりである。記録ヘッド１０から予備吐出口１２２に向けてインクが吐出されると、吐出で生成されるインク滴２２０の主滴の他に、副次的に発生する小滴のサテライトが発生する。本体は、このようなインク滴をインク受け面１３１に付着させることが望ましい。測定結果によれば、主滴の吐出速度１５ｍ／ｓ、吐出量１ｐｌ〜５ｐｌの記録ヘッドから発生するサテライト滴は、直径１〜１５μｍの範囲に複数のピーク（中心値）を持つ多分散の分布をしていることがわかっている。そこでインク受け面部材１３１を吐出口面１８から徐々に遠ざけ、予備吐出時に発生するミストの量（浮遊しているミストの全体積の相対量）を測定した。インク受け面部材１３１と吐出口面１８を最も近づけた場合の離間距離は０．５mmである。これは記録ヘッド１０を電気的に駆動するための配線等が吐出口面よりもインク受け面側に突き出ていることを考慮したときの最近接距離である。この距離からインク受け面部材１３１を吐出口面１８から遠ざけていったところミスト量はそれに伴って増加し、離間距離を広げることにより検出されるインクミストの粒径も大きくなる。３mm程度離したところから６〜１０μｍの粒径のインクミストが検出され出し、４mm以上離すと粒径の大きい、すなわち１粒の体積が大きいミストが増え、全ミスト量も急増する。図１３は吐出口面と予備吐受け面との距離と、ミストの量の関係を表すグラフであり、横軸は粒径、縦軸はミストの粒径分布を積算したふるい下体積である。このグラフからも、予備吐出時においてインク受け面部材１３１と記録ヘッド１０の吐出口面１８との距離は、０．５〜３．５mmの範囲内であることが望ましい。このように、インク受け面部材１３１と吐出口面１８との距離は、許容される範囲で近いほどミストに対する抑制効果がある。しかし、この距離だけで不十分な場合や距離を短くできない場合などに、本実施形態の上述した気流の効果を用いることにより、散逸するミストの量を抑制することができる。
【００６７】
本発明が適用されるインク受け面部材は細長い棒状ないしワイヤー状のものであるが、このような両脇に一定の隙間を形成できる細長い部材であればどのようなものであってもよいことはもちろんである。上記実施形態ではワイヤー状の部材を例に挙げたが、他の細長い帯状のインク受け面を構成するような構造として、例えば断面が三角形になっている三角柱構造のものや、薄い板を離間させて並列に並べたものであってもよい。
【００６８】
図１４は、上述の実施形態とファンを組み合わせた形態の気流を説明する図である。インク受けユニットにはインク受け面部材１３１では受け切れなかった微小なサテライト滴を廃インク保持部へ導く気流を発生させるファン１３４が備わっている。このような構成にすると、インク吐出２２０に伴って発生する自己気流とファンによって生み出された強い気流がインク受け面部材１３１の周りに形成される。インク受け免１３１で受け切れなかったより微小なサテライトは、この強い気流２３０の働きによって直接廃インク保持部へ導かれる。
【００６９】
なお、各吐出口列１２〜１７からインクを同時に吐出せずにノズル列毎に時分割で吐出する場合についても、予備吐出されるインクをインク受け面１３１によって受けるように予備吐出を制御することもできる。すなわち、キャリッジ２０に搭載されたエンコーダセンサ２４でエンコーダスケール９０を読み取ることでキャリッジ２０の位置を検出し、予備吐出する吐出口列とインク受け面部材とが対峙するよう正確に位置合わせし、順次予備吐出を行う。従って、上記実施形態のように吐出口列１２〜１７のそれぞれに対応するようにインク受け面部材を用意する必要はない。
【００７０】
また、本発明は、記録中に行われる予備吐出においても、用いることが出来る。すなわち、この場合においても、予備吐出されるインクをインク受け面部材によって受けるように、キャリッジの位置を検出し、正確なタイミングを測って予備吐出することができる。
【００７１】
さらに、上記実施形態では、記録ヘッドを記録媒体に対して相対移動させながら記録するシリアル記録方式のインクジェット記録装置を例に挙げて説明した。本発明は、記録媒体の全幅又は一部をカバーする長さのフルラインタイプの記録ヘッドを用いて副走査のみで記録するライン記録方式のインクジェット記録装置に対しても適用することができ、同様の効果を達成することもできる。
【００７２】
さらに本発明は、記録ヘッドとインクタンクを一体化した交換可能なインクジェットカートリッジを用いる構成や、記録ヘッドとインクタンクが別体であって記録ヘッドにインクタンクを着脱可能にした構成にも適用できる。また、記録ヘッドとインクタンクとの間をインク供給用チューブ等で接続した構成など、記録ヘッドとインクタンクの配置構成がどのような場合にも同様に適用することができ、同様の効果が得ることができる。さらには、本発明は、ピエゾ素子等の電気機械変換体等を用いる記録ヘッドを使用するものにも適用することができる。
【００７３】
（第２実施形態）
図１５は、主に本発明の第２の実施形態に係る予備吐出口内部のインク受けユニットの構造を示す正面図である。図１６インク受けユニット１３０に向かって予備吐出を実施した場合の状態を説明する断面図であり、図１７はその側面図である。
【００７４】
本実施形態のインク受けユニット１３０におけるインク受け面部材１３１のそれぞれは、その断面形状が頂点を平面にした山形であり、この山形の底部で一体の部材を形成している。すなわち、各インク受け面部材１３１の両脇はＶ字状の溝１３２ａを形成し、それぞれの溝１３２ａは傾斜面１３２に向かって傾斜している（図１７）。すなわち隣り合う山形同士がＶ字状の溝１３２ａを形成する。
【００７５】
このような構造のインク受け面部材１３１によっても、第１実施形態による効果と同じ効果を得ることができる。すなわち、予備吐出の際にインク吐出２２０に伴って発生する自己気流は、山形のインク受け面部材１３１の両脇をすり抜け、インク受け面部材1３１の底部の溝１３２ａに至り、さらに、溝１３２ａを通って傾斜面１３２に至る。すなわち、予備吐出の際には、記録ヘッドの吐出口面から予備吐出口１２２内に向かい廃インク吸収体１３３に抜ける乱れのない気流が形成される。この気流によって、予備吐出で発生したサテライトなどの微小インク滴は、移動し、また、その移動方向が定められる。その結果、予備吐出で発生したサテライトなどの微小インク滴のほとんどは浮遊せずに予備吐出口1２２内のインク受け面部材１３１または傾斜面１３２に至ることができる。
【００７６】
本実施形態においても、インク受けユニット１３０はモールド成型によって形成され、少なくともインクが付着する表面には撥インク処理が施されている。また、インク受け面部材１３１の山形構造の稜線部分は、吐出口列１２〜１７の列の方向に沿って構成される。稜線部分の幅は、移動中の予備吐出も受けることを考慮すると０．５〜２mm程度である。また、溝１３２ａは、その傾斜によってこの溝に流れ込んだ予備吐出インクを傾斜面１３２に流し、最終的には廃インク吸収体１３３に導かれる。
【図面の簡単な説明】
【００７７】
【図１】従来のインクジェット記録装置における予備吐出口の周辺の構成及び状態を示す概略説明図である。
【図２】本発明を適用したインクジェット記録装置の一実施形態を示す記録ヘッドを取り外して示す模式的分解斜視図である。
【図３】図１中の記録ヘッドを下方から見て示す模式的斜視図である。
【図４】図３中の吐出回復機構（吐出回復ユニット）の概略構成を示す模式的斜視図である。
【図５】本発明を適用したインクジェット記録装置の制御回路構成を示すブロック図である。
【図６】記録ヘッドのインク吐出性能を維持回復する吐出回復機構の回復動作手順を示すフローチャートである。
【図７】本発明を適用したインクジェット記録装置の予備吐出口の周辺を拡大して示す模式的斜視図である。
【図８】図１中のインク受け開口に設けられる第１の実施形態のインク受けユニットの模式的正面図である。
【図９】第１の実施形態における予備吐出動作を説明する模式的正面図である。
【図１０】第１の実施形態における予備吐出動作を説明する模式的側面図である。
【図１１】第１の実施形態の吐出インク受けユニット周辺の、予備吐出時の自己気流の様子を説明する模式的正面図である。
【図１２】従来の吐出インク受けユニット周辺の、予備吐出時の自己気流の様子を説明する模式的正面図である。
【図１３】予備吐出動作中に発生するミストの量と、吐出口面と予備吐受け面間の離間距離との関係を表すグラフである。
【図１４】第１の実施形態をファンと組み合わせて用いた吐出インク受けユニット周辺の、予備吐出時の自己気流の様子を説明する模式的正面図である。
【図１５】図１中のインク受け開口に設けられる第２の実施形態のインク受けユニットの模式的正面図である。
【図１６】第２の実施形態における予備吐出動作を説明する模式的正面図である。
【図１７】第２の実施形態における予備吐出動作を説明する模式的側面図である。
【符号の説明】
【００７８】
１０    記録ヘッド
１２〜１７    吐出口列
１８    吐出口面
２０    キャリッジ
１２０    プラテン
１２２    予備吐出口
１３０    インク受けユニット
１３１    インク受け面（インク受け面部材）
１３２    傾斜面
１３２ａ    溝
１３３    廃インク収容部
１３４    ファン
３００    吐出回復機構（吐出回復ユニット）
３１１    キャップ
３２１    吸引ポンプ
３３１、３３２    ワイパー
【図１】
2009269313.tif 000009
【図２】
2009269313.tif 000010
【図３】
2009269313.tif 000011
【図４】
2009269313.tif 000012
【図５】
2009269313.tif 000013
【図６】
2009269313.tif 000014
【図７】
2009269313.tif 000015
【図８】
2009269313.tif 000016
【図９】
2009269313.tif 000017
【図１０】
2009269313.tif 000018
【図１１】
2009269313.tif 000019
【図１２】
2009269313.tif 000020
【図１３】
2009269313.tif 000021
【図１４】
2009269313.tif 000022
【図１５】
2009269313.tif 000023
【図１６】
2009269313.tif 000024
【図１７】
2009269313.tif 000025